(57)【要約】【課題】  ロール紙を用いたクリーナのリフレッシュ作業をより簡単に行えるようにする。【解決手段】  ストッパ３２をローラ７ｂに接した状態でロール紙２を回転し、ローラ７ｂに設けられた凹み４１にストッパ３２が入ってロール紙２が止まると、その位置に基づきロール紙２の上のシート１２の先端１５を見つける第１の工程と、ストッパ３２をローラ７ｂに接した状態でシート１２の先端１５を引いてロール紙２を回転し、ローラ７ｂに設けられた凹み４２にストッパ３２が入ってロール紙が止まると、その位置でシート１２をカッター２０によりカットする第２の工程とを有するホルダの使用方法を提供する。これにより、常に１周分のシートを簡単に、そして確実に剥がしてカットできる。【選択図】        図３
2006081833.tif 000002
【特許請求の範囲】
【請求項１】
ホルダ本体と、表面が粘着面となったシートが巻かれたロール紙を前記ホルダ本体に対し回転可能に支持するためのローラと、前記シートを切断するためのカッターと、前記ロール紙または前記ローラに接したり離れたりするように動くストッパとを有するホルダの使用方法であって、
前記ストッパを前記ロール紙または前記ローラに接した状態で前記ロール紙を回転し、前記ロール紙または前記ローラに設けられた係合部と前記ストッパが係合して前記ロール紙が止まると、その停止位置に基づき前記ロール紙の上の前記シートの先端を見つける第１の工程と、
前記ストッパを前記ロール紙または前記ローラに接した状態で前記シートの先端を引いて前記ロール紙を回転し、前記ロール紙または前記ローラに設けられた係合部と前記ストッパが係合して前記ロール紙が止まると、前記カッターにより前記シートをカットする第２の工程とを有する使用方法。
【請求項２】
請求項１において、前記第１の工程の停止位置と、前記第２の工程の停止位置が異なる、使用方法。
【請求項３】
請求項１において、前記第１の工程と、前記第２の工程とで、前記ロール紙の回転方向が異なる、使用方法。
【請求項４】
請求項１において、前記第１の工程では、前記ロール紙が被接触体に接した状態で前記ホルダを手前に引いて前記ロール紙を回転する、使用方法。
【請求項５】
請求項１において、前記ロール紙または前記ローラには、前記係合部となる凹みまたは孔が形成されている、使用方法。
【請求項６】
請求項１において、前記ロール紙または前記ローラには、前記ストッパが入って停止する凹みまたは孔が前記ロール紙または前記ローラの円周方向の２箇所に設けられており、前記第２の工程では、前記第１の工程の前記凹みまたは孔とは異なる、前記凹みまたは孔に前記ストッパが入る、使用方法。
【請求項７】
請求項１において、前記ロール紙または前記ローラには、前記ストッパが入って２箇所で前記ロール紙を停止するための、前記ロール紙または前記ローラの円周方向に長い凹みまたは孔が設けられており、前記第２の工程では、前記長い凹みまたは孔の、前記第１の工程とは異なる位置で停止させる、使用方法。
【請求項８】
請求項１において、前記ストッパは、前記ロール紙または前記ローラの円周方向に２段になっており、前記第２の工程では、前記第１の工程とは、前記ストッパの異なる段で停止させる、使用方法。
【請求項９】
請求項１において、前記ストッパは、前記カッターと共に動き、前記第１の工程および前記第２の工程においては、前記カッターを操作する、使用方法。
【請求項１０】
ホルダ本体と、
表面が粘着面となったシートが巻かれたロール紙を前記ホルダ本体に対し回転可能に支持するローラと、
前記シートを切断するためのカッターと、
前記ロール紙または前記ローラに接したり離れたりするように動くストッパとを有するホルダ。
【請求項１１】
請求項１０において、前記ローラは、前記ストッパを当該ローラに接した状態で回転すると、前記ストッパと係合して前記ロール紙を停止させることができる係合部を備えている、ホルダ。
【請求項１２】
請求項１０において、前記ローラは、前記ストッパを当該ローラに接した状態で回転すると、前記ストッパが入って停止する凹みまたは孔を、円周方向の２箇所に備えている、ホルダ。
【請求項１３】
請求項１０において、前記ローラは、前記ストッパを当該ローラに接した状態で回転すると、前記ストッパが入って２箇所で前記ロール紙を停止するための、円周方向に長い凹みまたは孔を備えている、ホルダ。
【請求項１４】
請求項１０において、前記ストッパは、前記ロール紙または前記ローラの円周方向に２段になっている、ホルダ。
【請求項１５】
請求項１０において、前記ストッパは、前記ロール紙または前記ローラから離れる方向に弾性的に前記ホルダ本体から支持されている、ホルダ。
【請求項１６】
請求項１０において、前記ストッパは、前記カッターと共に動く、ホルダ。
【請求項１７】
請求項１０において、前記カッターは、前記ロール紙の長手方向に延び、前記ロール紙に接したり離れたりするように動く刃先を備えている、ホルダ。
【請求項１８】
請求項１７において、前記カッターは、前記ロール紙から離れる方向に弾性的に前記ホルダ本体から支持されている、ホルダ。
【請求項１９】
請求項１７において、前記刃先は、前記ロール紙の長手方向に対して傾いている、ホルダ。
【請求項２０】
請求項１７において、前記カッターの断面は円弧状である、ホルダ。
【請求項２１】
請求項２０において、前記カッターの断面の半径は、前記ローラに支持されるロール紙のコアの半径よりも小さい、ホルダ。
【請求項２２】
請求項２０において、前記カッターの断面の半径は、前記ローラの半径よりも小さい、ホルダ。
【請求項２３】
請求項１０において、前記ローラの両端に旋回可能に取り付けられたスタンドを有する、ホルダ。
【請求項２４】
請求項１０に記載のホルダと、前記ローラに支持された前記ロール紙とを有するクリーナ。
【請求項２５】
請求項２４において、前記ロール紙は、前記ストッパが入って停止する凹みまたは孔を、円周方向の２箇所に備えている、クリーナ。
【請求項２６】
請求項２４において、前記ロール紙は、前記ストッパが入って２箇所で前記ロール紙を停止するための、円周方向に長い凹みまたは孔を備えている、クリーナ。
【請求項２７】
表面が粘着面となったシートが巻かれたロール紙であって、当該ロール紙を回転可能に支持するローラと、前記シートを切断するためのカッターと、当該ロール紙に接したり離れたりするように動くストッパとを備えたホルダに取り付けられたときに、前記ストッパが入って当該ロール紙の回転を停止できる凹みまたは孔を有するロール紙。
【請求項２８】
表面が粘着面となったシートが巻かれたロール紙であって、ストッパが入る孔を有するロール紙。
【請求項２９】
表面が粘着面となったシートが巻かれたロール紙であって、円周方向の２箇所に形成された凹みまたは孔を有するロール紙。
【請求項３０】
表面が粘着面となったシートが巻かれたロール紙であって、円周方向に長い凹みまたは孔を有するロール紙。
【発明の詳細な説明】
【技術分野】
【０００１】
本発明は、表面が粘着面となったシートが巻かれたロール紙をホルダに装着して清掃するクリーナに関するものである。
【背景技術】
【０００２】
表面が粘着面となったロール紙を転がしながら、その表面の粘着力を利用してゴミを取る粘着式クリーナ、カーペットクリーナまたはロール紙クリーナと称される清掃用具が知られている。このクリーナにおいては、ロール紙を、その表面がカーペットや床面などの清掃すべき箇所（被接触体）に接し、転がすことにより種々のゴミを除去できる。特に、犬や猫などのペットの毛、髪の毛、糸などの吸引式の掃除機では取り除き難いゴミでも、粘着性の利点を活かして簡単に採取できる。さらに、吸引式の掃除機のように電力も不要なので経済的であり、家庭やオフィスをはじめ多くの場所において手軽に利用されている。
【特許文献１】実開平７−４４００１号公報
【発明の開示】
【発明が解決しようとする課題】
【０００３】
この粘着式のクリーナにおいては、ゴミがある程度、ロール紙に付着すると、ロール紙の表面の粘着力が弱まる。その場合は、ロール状あるいはテープ状に巻かれたシートを１周分だけ剥がして使用済みのシートとして分断することにより、ロール紙の表面に、十分な粘着力のある未使用のシートを表し、リフレッシュできる。この作業により、ロール紙の表面が再び十分な粘着力のある面となるので、再びロール紙表面でゴミを効率良く採取できる。
【０００４】
粘着式クリーナにおいては、使用済みのシートをカットして、未使用のシート面を出すリフレッシュ作業を簡単に行えることが望ましい。実開平７−４４００１号公報には、粘着シートを紙幅方向に真直ぐにカットするカッターを設けた粘着式クリーナが開示されている。カッターにより使用済みのシートを分断すれば、切り口も綺麗で、縦に破けることも少なく、ロール紙を無駄なく使用できる。さらにロール紙を無駄なく、効率的に使用しようとすると、１周分のシートだけをカットして廃棄することが望ましい。しかしながら、往々にして、使用済みのシートを引き剥がすときに、ロール紙表面にゴミのついていない未使用の面が現れてからカットするので、シートは余分に廃棄されている。また、多くのユーザにとってロール紙の１周分という量を厳密に管理することは面倒なことである。
【０００５】
さらに、使用済みのシートを剥がすためには、その先端を探す必要がある。しかしながら、使用済みのシートは粘着性の未使用のシートの上に重なっており、その先端は粘着性の面に付着したゴミに隠されている。したがって、使用済みのシートの先端を探す作業も一般のユーザには面倒なことである。
【０００６】
そこで、本発明においては、使用済みのシートをロール紙から分断するリフレッシュ作業を面倒なく、簡単に行うことができ、さらに、シートの浪費も避けることができるホルダ、クリーナおよびロール紙を提供することを目的としている。
【課題を解決するための手段】
【０００７】
このため、本発明においては、ホルダ本体と、表面が粘着面となったシートが巻かれたロール紙をホルダ本体に対し回転可能に支持するためのローラと、シートを切断するためのカッターと、ロール紙またはローラに接したり離れたりするように動くストッパとを有するホルダを提供する。このホルダは、ストッパをロール紙またはローラに接した状態でロール紙を回転し、ロール紙またはローラに設けられた係合部とストッパが係合してロール紙を停止させることができる。したがって、このホルダを用いると、ロール紙を所定の位置に止めて、シートをカットしたり、シートの先端を探すことができる。係合部の好適な形態は、ロール紙またはローラに設けられた凹みまたは孔であり、凹みまたは孔にストッパが入ってロール紙を停止させることができる。ストッパの側に凹みまたは孔を設けても良い。
【０００８】
すなわち、本発明のホルダの使用方法は、ストッパをロール紙またはローラに接した状態でロール紙を回転し、ロール紙またはローラに設けられた係合部とストッパが係合してロール紙が止まると、その停止位置に基づきロール紙の上のシートの先端を見つける第１の工程と、ストッパをロール紙またはローラに接した状態でシートの先端を引いてロール紙を回転し、ロール紙またはローラに設けられた係合部とストッパが係合してロール紙が止まると、カッターによりシートをカットする第２の工程とを有する。
【０００９】
第１の工程の停止位置と、第２の工程の停止位置は同じでも良く、異なっていても良い。第１の工程の停止位置（第１の停止位置）と、第２の工程の停止位置（第２の停止位置）とが同じ場合は、ロール紙またはローラに設けられる係合部、例えば、凹みまたは孔は１つで良い。この場合、第１の停止位置は、第２の停止位置、すなわち、シートをカットした位置になるので、カッターの直下に使用済みのシートの先端がある。したがって、カッターの下に指が入れば、シートの先端を簡単に剥がすことができる。あるいは、若干、奥へ向かってロール紙を回転することにより、シートの先端がカッターの下から指で剥がし易い位置まで動くので、その位置でシートの先端を剥がすことができる。カッターの刃先がロール紙の長手方向に対して傾いている、すなわち、ロール紙の中心軸あるいはローラの中心軸に対して傾いていると、シートの先端も傾くので、ロール紙の端ではシートの先端が尖った形状になり、剥がし易い。
【００１０】
第２の工程では、前回、シートをカットした位置にロール紙は止まるので、１周分の使用済みのシートを簡単に、そして確実に除去することができる。このため、ロール紙を無駄なく使用できる。
【００１１】
本発明の使用方法は、ロール紙の回転中は常にストッパをロール紙またはローラに接した状態にしておくことを意味しない。クリーニング中は、ストッパをロール紙またはローラから離しておけば、ストッパはクリーニング作業の障害にならない。また、停止位置を求めようとするときも、概略の停止位置の少なくとも近傍において、ストッパをロール紙またはローラに接した状態でロール紙またはローラを回転させれば良い。ストッパをロール紙またはローラに接した状態で、ロール紙またはローラを一回転させても良いが、必ずしも一回転させる必要はない。
【００１２】
第１の工程の停止位置と、第２の工程の停止位置を変えると、第１の停止位置ではシートの先端がカッターの直下にならないので、シートの先端を剥がし易い位置で即座に見つけることができる。したがって、さらに使い勝手が良い。第１の停止位置と、第２の停止位置とを変える方法の１つは、第１の工程と第２の工程とで、ロール紙の回転方向を変え、ロール紙またはローラに、ストッパが入って停止する凹みまたは孔がロール紙またはローラの円周方向の２箇所に設けることである。
【００１３】
ホルダを手にもったときに、カッターの刃先は、ロール紙の上でも下でも良く、手前を向いていても、反対に奥を向いていても良い。しかしながら、シートをカットする位置が見易く、ロール紙からシートを引き剥がすときの手の自由度が大きく、カッターを上下に動かすときの構造が容易であることを考えると、刃先は、ロール紙の上で、奥を向いていることが望ましい。この状態において、第２の工程において、ロール紙からシートを引くと、ロール紙は刃先に対して奥に回転する。したがって、第１の工程においては、ロール紙を手前に回転させることにより反対に回すことができる。最も簡単な方法は、ロール紙を床、机、さらには服などの適当な被接触体に接した状態で手前に引くことであり、これによりロール紙はカッターの刃先に対して手前に回転する。
【００１４】
ロール紙またはローラに、ストッパが入って停止する凹みまたは孔がロール紙またはローラの円周方向の２箇所に設け、第２の工程では、第１の工程の凹みまたは孔とは異なる、凹みまたは孔にストッパが入るようにすることにより、第１の工程では、シートの先端を剥がし易い所定の位置にロール紙を停止させ、第２の工程では、使用済みのシートの先端からロール紙を一回転した位置がカッターの直下となるようにロール紙を停止させて１周分のシートをカットできる。
【００１５】
ロール紙またはローラの円周方向に長い凹みまたは孔を設けても良い。この場合、第２の工程では、長い凹みまたは孔の第１の工程とは異なる位置でロール紙を停止させれば良い。例えば、第１の工程では、ロール紙をカッターの刃先に対して奥に向かって回転させてストッパが円周方向に長い凹みまたは孔に入った後に、ストッパが凹みまたは孔の手前の壁に当たるときに止め、第２の工程では、ストッパが凹みまたは孔に入った直後に止めることにより停止位置を変えることができる。
【００１６】
また、ロール紙またはローラの円周方向に２段になったストッパを用いても良い。第２の工程と第１の工程とで、ストッパの異なる段でロールを停止することにより、シートの先端を探す作業およびシートをカットする作業のそれぞれに適した位置でロール紙の回転を停止できる。
【００１７】
ストッパはカッターとは独立して操作できるものであっても良い。ストッパがカッターと共に動くようにすれば、ホルダの操作する部分を少なくできるので、操作が簡単になり、また、ホルダの構成も簡易になり、低コストで供給できる。さらに、第２の工程においては、カッターは必ず操作されるので、このカッターと共にストッパが動くようにすると、１回の操作で所望の位置にロール紙を止めてカットできる。
【００１８】
ロール紙またはロールに対して接したり離れたりするストッパは、ロール紙またはローラから離れる方向に、ホルダ本体から弾性的に、直接あるいは間接的に支持されていることが望ましい。例えば、ストッパはカッターに取り付けることにより間接的に支持しても良く、ホルダ本体（ボディー）に対して旋回したり、前後に動くように直に支持することも可能である。弾性的に動くストッパは、ユーザが指などで押すことにより簡単に操作でき、クリーニングのときにはストッパが自動的にロール紙から離れた位置に戻るので邪魔にならない。
【００１９】
凹みまたは孔はローラに形成されていても良く、ロール紙に形成されていても良い。このため、本発明は、表面が粘着面となったシートが巻かれたロール紙であって、当該ロール紙を回転可能に支持するローラと、シートを切断するためのカッターと、当該ロール紙に接したり離れたりするように動くストッパとを備えたホルダに取り付けられたときに、ストッパが入って当該ロール紙の回転を停止できる凹みまたは孔を有するロール紙を含む。表面が粘着面となったシートが巻かれたロール紙であって、ストッパが入る孔を有するロール紙は、ストッパが孔に出入りしても孔の形状が崩れ難く、停止位置が決まり易い。表面が粘着面となったシートが巻かれたロール紙であって、円周方向の２箇所に形成された凹みまたは孔を有するロール紙、または、表面が粘着面となったシートが巻かれたロール紙であって、円周方向に長い凹みまたは孔を有するロール紙は、第１の停止位置と第２の停止位置とを変えることができる。
【００２０】
ロール紙の長手方向に延び、ロール紙に接したり離れたりするように動く刃先を備えたカッターは、ロール紙から離れる方向に、ホルダ本体から弾性的に支持されていることが望ましい。カッターを指などで押すことにより、刃先がロール紙に接するカットポジションにセットでき、指を離せば、刃先はクリーニングに障害にならない位置に戻る。したがって、ストッパとカッターとは共に動かすことができ、ホルダの操作が簡単になる。
【００２１】
カッターの刃先は、ロール紙の長手方向に対して傾いていることが望ましい。ロール紙の長手方向とは、ロール紙の中心軸方向を指し、カッターの刃先は、ロール紙の表面（周面）において、シートに対して中心軸に対して傾いた状態で接する。ロール紙の中心軸がローラの中心軸とほぼ一致する場合は、カッターの刃先はローラの中心軸に対して傾いた方向に延びている。これにより刃先はシートの幅方向に対し傾くので、シートを斜めにカットする。このため、シートをカットし易く、カットした後のシートの先端は剥がしやすくなる。円筒の一部を切り欠いた形状で、断面が円弧状のカッターは、刃先をロール紙の上部の奥（手前と反対側）に当てることができ、シートをカットするときに、シートを上向きに引っ張れるので、手が体から離れた、手を動かし易い状態でカットできる。カッターの断面の半径を、ローラにより支持されるロール紙のコアの半径よりも小さく、さらには、ローラの半径よりも小さくしておくことにより、シートを消費したときのロール紙の径の変化に追従して刃先をロール紙の表面に確実に接触させられる。
【００２２】
本発明のホルダにおいては、ローラの両端に、旋回可能なスタンドを取り付けることができる。ハンドル（取手）付きのホルダの場合は、スタンドをハンドルと反対側に旋回させることにより、ハンドルも含めてホルダをスタンドで支持できる。クリーニングのときは、ハンドルと同じ方向に旋回させることにより、邪魔にならない。また、ロール紙を２つのローラで両端から挟んで支持するタイプのホルダであれば、スタンドに指を掛けてローラ同士の間隔を広げ、ロール紙の着脱に役立てることができる。
【発明の効果】
【００２３】
このように本発明のホルダは、簡単にシートの先端を見つけて剥がすことができ、また、１周分の使用済みのシートを確実にカットすることができ、誰にでも簡単に使え、シートを浪費することの少ない経済的なクリーナを提供できる。
【発明を実施するための最良の形態】
【００２４】
以下に図面を参照して本発明をさらに詳しく説明する。図１に、本発明に係るクリーナ１をロール紙２とホルダ３とに分けた状態で示してある。また、図２に、ロール紙２がホルダに保持された状態を、ロール紙の中心軸に沿った断面図により示してある。クリーナ１は、粘着性の表面１１のシート１２が円筒状に巻かれたロール紙２と、ロール紙２が取り付けられるホルダ３とを有している。ホルダ３は、棒状のハンドル５の前方５ａが２股に分かれて左右に延びた２本のアーム６ａおよび６ｂになったほぼＴ字型またはＹ字型のホルダ本体４と、アーム６ａおよび６ｂの先端に向かい合うように回転可能に取り付けられた円筒状のローラ７ａおよび７ｂとを備えている。そして、これらローラ７ａおよび７ｂをロール紙２の両端に挿入し、ロール紙２をホルダ本体（ホルダボディ）４に対して回転可能に支持することができる。このため、ユーザは、ハンドル５を手に持ってロール紙２の粘着性の表面１１を床、カーペット、衣服などの清掃対象の部分に接触させて転がすことにより、ペットの毛や糸くずなどのゴミを採取できる。ローラ７ａおよび７ｂの両端には、スタンド８０が旋回可能に取り付けられており、クリーナ１を使用しないときは、スタンド８０の接地部８１をハンドル５に対して反対側に回し、スタンド８０でロール紙２が床などに接しない状態で立てておくことができる。
【００２５】
ホルダ３は、さらに、アーム６ａおよび６ｂに対し板バネ状の連結部２３により接続されたカッター２０を備えている。カッター２０は、ハンドル５に対しほぼ垂直にローラ７ａからローラ７ｂに延びている。したがって、カッター２０は、ローラ７ａおよび７ｂに取り付けられるロール紙２の中心軸２ｘに略沿って平行に長手方向に延び、ロール紙２の長手方向全体を覆うことができる。そして、カッター２０の一方の端のローラ７ｂに面した位置に、ローラ７ｂに向かって突き出たストッパ３２が取り付けられている。ホルダ本体４、連結部２３、カッター２０およびストッパ３１はプラスチック製の一体成形品であり、カッター２０は、ロール紙２から離れる方向に、板バネ状の連結部２３により弾性的に支持されている。そして、ホルダ３のハンドル５を持って、カッター２０を指で押したり離したりすると、カッター２０は、ロール紙２に接したり離れたりするように動き、それに連動して、ストッパ３１もローラ７ｂに接したり離れたりするように動く。アーム６ａおよび６ｂも左右に開いたり閉じたりするので、ローラ７ａおよび７ｂをロール紙２の中心のコア１３に出したり入れたりすることにより、ロール紙２をホルダ本体４に着脱できる。
【００２６】
図３および図４に、本例のクリーナ１を使用する様子を示してある。ロール紙２は、その表面１１は、ゴミ９が付着すると粘着力が低下する。したがって、クリーナ１により床などをクリーニングするときは、ロール紙２の使用済みのシート１２を１周分、引き剥がして取り除き、その下の未使用のシート１２の新しい表面１１を表に出すことにより、ロール紙２の表面１１を粘着力のある面にリフレッシュし、再びゴミを採取できるようにする必要がある。
【００２７】
ロール紙２の使用済みのシートをカットするためのカッター２０は、断面が円弧状であり、先端２２は、ロール紙２の長手方向に延び、ロール紙２の長手方向（中心軸２ｘに平行な方向）に対してほぼ８度程度傾いた刃先となっている。したがって、図５に示すように、このカッター２０の刃先２２は、シート１２の幅方向に対して斜めに当たり、シート１２の先端１４を斜めに分断することができる。シート１２の先端１４を斜めにカットすると、その幅方向の端１５は鋭角になる。シート１２の鋭角な端１５は、粘着性のシートであっても、指先や爪先で簡単に剥がすことができ、その端１５を基点としてシート１２を剥がすことが容易となる。さらに、斜めにカットされたシート１２を、その鋭角な端１５を持って引っ張ると、端１５をそのまま上方に引っ張るだけでシート１２が破けたり、撓んだりせずにロール紙２から引き剥がすことが可能であり、簡単に、そして、確実に、シート１２をロール紙から引き剥がすことができる。また、カッター２０によりカットするときも、カッター２０が斜めになっていると、単に、端１５を上方に引っ張るだけで、カッター２０の刃先２２に沿ってシート１２がカットされていく。したがって、シートをカットする部分に力が自然に集中するので、カットするときにシート１２やカッター２０に無理な力をかける必要がなく、作業が楽であると共に、カッター２０の刃先２２に沿ってシート１２をカットでき、途中で刃先２２から外れた部分が破けたり、シートが分離したりするトラブルが発生することは極めて少ない。このため、カッター２０の刃先２２の位置で、安定してロール紙２からシート１２をカットすることができる。
【００２８】
本例のホルダ３には、円筒の一部を切り欠いた形状をしているカッター２０が採用されている。円筒を切り欠いた形状のカッター２０は断面が円弧状になり、同じく円筒状をしたロール紙２の外周に沿って刃先２２を延ばすことができる。したがって、カッター２０をそれほど大きく動かさずに、ロール紙２の外周の適当な部分に、刃先２２を適当な角度でロール紙２に押し当てることができるというメリットを備えている。ホルダ３のハンドル５を手で持ったときに、刃先２２はロール紙２の上方（図３の上方）でロール紙２に当たった方が、カットする部分が視認できるので好ましい。さらに、刃先２２がロール紙２の手前、すなわち、ハンドル５の側に当たると、カットするときにシート１２を手前の体の方向に引っ張る必要があり、手の動きがスムーズにならない。これに対し、刃先２２がロール紙２の上方の奥、すなわち、ハンドル５とは反対側に当てると、カットするときにシート１２を体から離れた状態で上方に引っ張ることができ、手の動きがスムーズになる。そして、カッター２０の断面が円弧状であると、刃先２２をロール紙２の上部の奥まで延ばすことができる。
【００２９】
カッター２０の断面の半径が、ローラ７ａおよび７ｂにより支持されるロール紙１２よりも大きいと、ロール紙１２が消費されて半径が小さくなったときにカッター２０の刃先２２が当たる角度、特に、切削角が小さくなるので、カットし難くなる可能性がある。さらには、カッター２０の刃先以外がロール紙１２に当たって、刃先２２がロール紙に当たらない可能性がある。したがって、カッター２０の断面の半径は、ロール紙１２の最小径よりも小さいことが望ましい。このため、カッター２０の半径はロール紙１２のコア１３の半径よりも小さいことが望ましい。ローラ７ａおよび７ｂはコア１３の内部に入るように設計されているので、カッター２０の半径をローラ７ａおよび７ｂの半径よりも小さくしておけば、上記のような問題は確実に防止できるが、カットするためにカッター２０を上下する距離は長くなる。
【００３０】
さらに、カッター２０は、図２に示すように、長手方向にも若干湾曲しており、ホルダ３のハンドル５を握った手の指でカッター２０のほぼ中央を押し、刃先２２がロール紙２の表面１１についたときに、刃先２２が全体的にロール紙２の表面１１に付くようにしている。これにより、斜めになった刃先２２の両端がロール紙２から浮くことがなく、ロール紙２のシート１２をスムーズに切断できる。
【００３１】
図２に示すように、ホルダ３は、ハンドル５から見てカッター２０の右端にストッパ３２を備えており、右側のローラ７ｂの右端の部分にストッパ３２と係合する部分３１を備えている。そして、ストッパ３２と係合部分３１とが、ロール紙２の回転を停止する位置を決める機構３０として機能する。図３および図４には、ホルダ３にロール紙２が取り付けられたクリーナ１を右側のローラ７ｂの方向から見た様子を示してある。ローラ７ｂの右端の、ロール紙２に挿入される部分よりも外側には、ストッパ３２と接触するために外面がほぼ円筒状になったカム面３１が形成されている。このカム面３１には、円周方向に離れた２箇所に、２つの凹み４１および４２が形成されている。第１の凹み４１は、浅く、この位置でストッパ３２が凹み４１に入って止まっても刃先２２は通常、ロール紙２には接触せず、シート１２の鋭角な端（摘み）１５を見つけることができる。第１の凹み４１に対して時計方向に離れた第２の凹み４２は深く、この位置でストッパ３２が凹み４２に入って止まると、刃先２２がロール紙２の表面に当たり、ロール紙２から使用済みのシート１２をカットすることができる。
【００３２】
先ず、図３（ａ）に示すように、カッター２０が押されていないと、カッター２０およびストッパ３２はロール紙２の表面１１から離れた位置にある。このため、ロール紙２はストッパ３２およびカム３１と干渉することなく回転し、ゴミ９を採取できる。
【００３３】
ロール紙２の表面１１をリフレッシュしたいときは、図３（ｂ）に示すように、指５０でカッター２０を押す。これにより、ストッパ３２がローラ７ｂのカム面３１に接するので、その状態で、ロール紙２を床面などの被接触体８に接触させてホルダ３を手前に引く。この操作により、ロール紙２は反時計方向Ｒ１に回転し、カッターの刃先２２に対してロール紙２は手前に回転する。これに伴って、ロール紙２と一体になって回転するローラ７ｂのカム面３１も反時計方向Ｒ１に回転する。
【００３４】
図３（ｃ）に示すように、ストッパ３２が第１の凹み４１に入る（当たる）と、ロール紙２の回転は停止する。第１の凹み４１に対し、カット位置を示す第２の凹み４２は時計方向、すなわち、ロール紙２の奥の側にあるので、シート１２の摘み１５はカッターの刃先２２よりも若干奥に離れた位置にあり、ストッパ３２が第１の凹み４１に入って停止したときには、摘み１５の位置は変わらない。したがって、ユーザは摘み１５を簡単に見つけることができ、その摘み１５を指や爪先で剥がし、シート１２をロール紙２ｃから簡単に剥がし始めることができる（第１の工程）。
【００３５】
図４（ａ）に示すように、カッター２０を指５０で押して、ストッパ３２をローラ７ｂのカム面３１に接触させた状態で、シート１２の摘み１５を摘んでシート１２をロール紙２から剥がす。シート１２を上方に引くことにより、ロール紙２は時計方向Ｒ２に回転し、カッターの刃先２２に対してロール紙２は奥に回転する。これに伴って、ロール紙２と一体になって回転するローラ７ｂのカム面３１も時計方向Ｒ２に回転する。
【００３６】
図４（ｂ）に示すように、ストッパ３２が第２の凹部４２に入る（当たる）と、ロール紙２の回転は停止する。それと共に、カッター２０の刃先２２は、ロール紙２の表面１１に当たる。ローラ７ｂはロール紙２と一体で回転するので、第２の凹み４２の位置はロール紙２の円周上の一定の位置に対応する。したがって、この位置でシート１２をカットすることにより、常に１周分のシート１２をカットできる（第２の工程）。
【００３７】
このように、本例のホルダ３を使用して、ロール紙２からシート１２をカットすれば、簡単にシート１２を剥がし始めるところを見つけることができ、常に一周分のシート１２を無駄なくカットできる。したがって、ゴミ９が付いて使用済みになったシートを一周分だけロール紙２から除去してリフレッシュできる。カットした後は、カッター２０から指５０を離すと、カッター２０およびストッパ３２は、図３（ａ）に示した、元の位置に自動的に復帰する。したがって、ロール紙２をいずれの方向に回転するのにも支障はなく、床面などの清掃対象面８にロール紙２を接触させてゴミ９を採取できる。
【００３８】
ロール紙２のシート１２を使い切ると、ホルダ３のローラ７ａおよび７ｂの間隔を広げてコア１３からローラ７ａおよび７ｂを抜いて外し、新しいロール紙２にローラ７ａおよび７ｂを挿入することによりロール紙２を交換する。このとき、ローラ７ａおよび７ｂの両端にそれぞれ取り付けてあるスタンド８０を用いて、ローラ７ａまたは７ｂを引っ張るとロール紙２を簡単に交換できる。
【００３９】
図６に、スタンド８０によりクリーナ１を支持した状態を示してある。スタンド８０は、略三角形の板状の部材であり、一方の辺８１が接地部であり、重心が確保し易いように水平に延びた２箇所に突起８２が設けられ、接地させやすい形状になっている。このスタンド８０は、その接地部８１と反対側の先端近傍がローラ７ａおよび７ｂの中心軸に対して、偏芯した位置を回転中心として回転可能に取り付けられている。したがって、図６に実線で示すように、接地部８１がハンドル５と反対側になるようにスタンド８０を回転することにより、ロール紙２の最大径よりも接地部８１が外側に出て、ロール紙２の表面１１が床面８に接触しない状態で保持できる。また、図６に破線で示すように、接地部８１がハンドル５の方向になるようにスタンド８０を回転すると、ロール紙２によりゴミを採取するのに邪魔にならない。実線で示したように、接地部８１がロール紙２より突き出ていると、接地部８１に指を掛けて、ローラ７ａおよび７ｃを左右に押し広げ易く、ロール紙２をホルダ３に対して着脱するのが容易になる。
【００４０】
図７および図８に示すように、ストッパ３２と係合する部分をローラ７ｂの代わりに、ロール紙２に設けることが可能である。図７および図８に示したクリーナ１ａでは、カッター２０のストッパ３２はロール紙２ａの表面１１に接する位置に設けられており、ロール紙２ａとしては、その一方の端に、円周方向に沿って２つの孔５５および５６が設けられたものが用いられている。ロール紙２ａの概要は、図１３（ａ）に示してある。
【００４１】
このクリーナ１ａにおいて、ロール紙２の表面をリフレッシュするときのホルダ３の使用方法は次の通りである。まず、図７（ａ）に示すように、カッター２０を指５０によりロール紙２ａに向けて押し、ストッパ３２をロール紙２ａの表面１１に接触させる。その状態で、ロール紙２ａを床面８などに接触させてホルダ３を手前に引く。これにより、ロール紙２ａが、上記の例と同様に、ハンドル５の右側から見たときに反時計方向Ｒ１（カッター２０に対して手前）に回転する。
【００４２】
図７（ｂ）の位置までロール紙２が回転すると、ストッパ３２が第１の孔５５に入り（係合し）、ロール紙２ａは停止する。カット位置を示す第２の孔５６は、時計方向Ｒ２に数度から数１０度の所定の角度だけ離れた位置にある。したがって、カッター２０の刃先２２から数ｍｍから数ｃｍ程度離れた所定の位置にロール紙２ａのシート１２の先端（摘み）１５がある。このため、摘み１５を簡単に発見でき、指５１でシート１２の先端１５を摘んでシート１２を剥がし始めることができる。
【００４３】
図７（ｃ）に示すように、一旦、指５０をカッター２０から離すと、ストッパ３２は第１の孔５６から外れる。したがって、ロール紙２ａは回転可能な状態になり、シート１２を上方に単に引っ張るだけで、シート１２をロール紙２ａから剥がすことができる（第１の工程）。
【００４４】
図８（ａ）に示すように、シート１２を剥がしてロール紙２ａが回転を開始したら、指５０で再びカッター２０をロール紙２ａに押し、ストッパ３２をロール紙２ａの表面１１に接触させる。このとき、シート１２を上方に剥がすことにより、ロール紙２ａは、上記の第１の工程とは逆方向の時計方向Ｒ２（カッター２０の刃先２２に対して奥に向かう方向）に回転する。
【００４５】
図８（ｂ）に示すように、ストッパ３２の位置に、第２の孔５６が到達するまでロール紙２ａが回転すると、ストッパ３２が第２の孔５６に入り、ロール紙２ａの回転が停止し、カッター２０の刃先２２がロール紙２ａの表面１１に押し当てられる。前回のシートをカットするときに、この第２の孔５６の位置でロール紙２ａを停止させており、シート１２が剥がされながら回転したロール紙２ａが再び第２の孔５６の位置で停止すると、ちょうど一周分のシート１２がロール紙２ａから剥がされたことになる。したがって、第２の孔５６で止まった位置をカット位置としてロール紙２ａをカットすると、ロール紙２ａの浪費を防止できる（第２の工程）。指５０を離せば、カッター２０およびストッパ３２がロール紙２ａから離れるので、ロール紙２ａは自由に回転し、ゴミ９を取ることができる。
【００４６】
この例では、円周方向に配置された２つの孔５５および５６によりロール紙２ａを止める位置を制御している。第１の工程では、ホルダ３を手前に引いてロール紙２ａを手前に回転させ、第２の工程では、ロール紙２ａからシート１２を引いてロール紙２ａを奥に向かって回転させている。第１の工程と第２の工程では、ロール紙２ａの回転方向が異なり、ロール紙２ａの上方でロール紙２ａに接するストッパ３２は、２つの接近した位置の孔５５および５６の内、手前の孔５５に入り、次にシート１２を引き出しながらロール紙１２ａを奥に向かって回転させたときは、ストッパ３２は奥の孔５６に入る。したがって、ロール紙２ａのシートの先端１５を見つけて、シート１２を剥がすという動作で、シートの先端１５を見つける位置の孔５５と、シート１２をカットする位置の孔５６に順番にストッパ３２が入り、ロール紙２ａを止める位置を間違えることはほぼない。このため、誰にでも、どちらの孔にストッパ３２を入れるかということを考えなくても、シート１２を剥がして切るという動作に起因してロール紙２ａを所望の位置に確実に停止させることができる。
【００４７】
位置決め用の孔５５および５６は、ロール紙２ａのどの位置にも形成できる。図１３（ａ）では、長手方向の端に孔５５および５６を形成しているが、中央あるいはその他の場所に形成しても良い。ただし、それらの孔に対応する位置にストッパ３２を配置する必要がある。また、ロール紙に、ストッパ３２と係合するための孔５５および５６を設けると、これらの孔５５および５６は、必ずロール紙と共に回転する。ローラ７ｂにストッパ３２と係合する部分を設ける場合は、ローラ７ｂがロール紙と共に、同期して回転する必要があるが、ロール紙に係合する部分を設ける場合は、ローラ７ａあるいは７ｂはロール紙に同期して回転する必要はなく、ロール紙だけが回転するような機構であっても良い。また、ロール紙に孔を開けることは、粘着面が多少減ることを意味するが、ゴミを採取する能力にはほとんど影響を与えない。
【００４８】
図１３（ｃ）に示すように、孔５５および５６の代わりに、ロール紙２ｄの端に凹凸６８および６９を形成してストッパ３２と係合するようにしても良い。しかしながら、ロール紙２ｄの端に形成された凹凸６８および６９は、ストッパ３２と何度か当たっているうちに形状が崩れる可能性がある。したがって、信頼性という点では、ロール紙の内部に係合用の孔を形成することが望ましい。
【００４９】
これらの係合用の孔５５および５６と係合するために、ストッパ３２は、孔５５および５６に出入りする。したがって、ストッパ３２は、孔５５および５６に対し、抜き差しがスムーズな形状であることが望ましい。たとえば、先細りで側面側が湾曲した、円錐、角錐あるいは円錐台などの形状が望ましい形状の幾つかの候補である。さらに、係合したときに止まる位置の精度を向上するためには、孔５５および５６に対して垂直方向の面を備えていることが望ましい。したがって、ストッパの好ましい形状の１つは、先端がテーパー状になった板あるいは柱状である。ただし、先端は、ローラあるいはロール紙の表面に接した状態で動くので、適度に滑らかであることが好ましい。
【００５０】
図９および図１０に更に異なる例を示してある。このクリーナ１ｂのホルダ３は、円周方向に２段となったストッパ６２を備えている。すなわち、ストッパ６２は、突き出し量の少ない基部６２ｂと、その先端側に位置し、突き出し量が多い先端６２ａとを備えている。一方、ロール紙２ｂは、たとえば、１５ｍｍ〜２５ｍｍ程度の長孔５７を備えており、この孔５７が、２つの位置でストッパ６２と係合し、ロール紙２ｂの停止位置を規定するようになっている。図１３（ｂ）にロール紙２ｂの概要を示してある。
【００５１】
このクリーナ１ｂのホルダ３の使用方法は次の通りである。まず、図９（ａ）に示すように、カッター２０を指５０で軽く押して、ストッパ６２の先端６２ａがロール紙２ｂの表面に触る程度でロール紙２ｂを手前または奥の方向に回転させる。図９（ｂ）に示すように、ストッパ６２の先端６２ａが、孔５７の手前の端５７ａに引っかかり、ストッパ６２の基部６２ｂがロール紙２ｂの表面１１に当たって回転が止まると、その位置でロール紙２ｂのシート１２の先端（摘み）１５を見つけることができる（第１の工程）。この状態では、カッターの刃先２２はロール紙２ｂの表面１１に付かない。
【００５２】
次に、指５０をカッター２０から離して、ストッパ６２と長孔５７との係合を外し、シート１２の摘み１５を指５１で引くことによりシート１２をロール紙２ｂから剥がすことができる。これにより、ロール紙２ｂは時計方向Ｒ２（カッター２０の刃先２２に対して奥の方向）に回転する。ロール紙２ｂが回転しだしたら、図１０（ａ）に示すように、再び、カッター２０を指５０で押して、ストッパ６２をロール紙２ｂに接触させる。
【００５３】
図１０（ｂ）に示すように、ロール紙２ｂが回転して、長孔５７にストッパ６２の全体が入り、基部６２ｂが長孔５７の後ろ側５７ｂに当たって止まる。すなわち、第１の工程とは、長孔５７の異なる位置にストッパ６２が係合してロール紙２ｂの回転を停止できる。さらに、ストッパ６２の全体が長孔５７に落ち込むので、刃先２２がロール紙２ｂの表面１１に当たり、シート１２をカットできる状態になる。この位置で、常にロール紙２ｂからシート１２をカットすることにより、１周分のシート１２を簡単に無駄なくカットできる。
【００５４】
図１１および図１２に更に異なる例を示してある。このクリーナ１ｃでは、図７および図８を参照して説明したホルダ３と同様の構成のホルダに、係合用の孔５８が１つだけ設けられたロール紙２ｃを取り付けている。この場合のクリーナ１ｃの使用方法は次の通りである。指５０でカッター２０を押し、ストッパ３２がロール紙２ｃに接した状態で、適当な方向にロール紙２ｃを回転すると、図１１（ａ）に示すように、ストッパ３２がロール紙２ｃの孔５８に入って回転が止まる。この位置がカット位置であり、カッター２０の刃先２２の下に、ロール紙２ｃのシート１２の先端（摘み）１５が位置している。したがって、図１１（ｂ）に示すように、指５０を離してストッパ３２をロール紙２ｃの孔５８から外し、適当な方法でロール紙２ｃを時計方向Ｒ２（カッターの刃先２２に対して奥の方向）に若干回転させると、刃先２２の奥の方向にシート１２の摘み１５が表れる。したがって、ストッパ３２が孔５８と係合して停止した位置に基づき、シート１２の先端１５を見つけることができる（第１の工程）。このため、先端１５を指５１で摘んでシート１２を剥がすことができる。
【００５５】
次に、図１２（ａ）に示すように、指５０でカッター２０を再び押して、ストッパ３２をロール紙２ｃに接した状態で、シート１２を引く。図１２（ｂ）に示すように、ストッパ３２が再び孔５８に入り、ロール紙２ｃの回転が停止すると、刃先２２がロール紙２ｃの表面１１に当たる。この位置がカット位置であり、１周分のシート１２を確実にカットすることができる。
【００５６】
なお、上記の例では、ストッパと係合する係合部分をロール紙自身に備えた専用のロール紙を用いた例と、ローラに係合部分があり、係合部分を備えていないロール紙を使用できる例とを分けて説明している。これに対し、ストッパの位置をロール紙の軸方向（長手方向）に移動させたり、ストッパを付け替えたり、ストッパの出入りを制御することなどにより、専用のロール紙の場合は、ロール紙の係合部分にストッパが係合し、それ以外のロール紙の場合はローラの係合部分にストッパが係合するようなホルダを提供することが可能であり、そのようなホルダも本発明の範囲内である。
【００５７】
また、上記の例では、刃先が斜めになったカッター２０に基づき本発明を説明しているが、刃先がロール紙の中心軸と平行に延びたカッターを備えたホルダであっても本発明を適用できる。また、カッターにストッパを取り付けて、カッターと同時にストッパが操作できるようにする代わりに、ホルダ３に対し直に、あるいは独立してストッパを取り付けても良く、その場合は、ストッパの出入りを制御できるレバーなどを設けることが望ましい。また、本例においては、ロール紙またはローラにストッパと係合する凹みあるいは孔を設けた例を説明しているが、ストッパの側に凹みあるいは孔を設けて、ローラの側にそれらと係合する突起を設けることも可能である。しかしながら、ロール紙には突起を設けることは難しく、上記の例のように、ロール紙に孔あるいは凹みを設けて、ストッパと係合する方式が好ましい。
【図面の簡単な説明】
【００５８】
【図１】クリーナの平面図である。
【図２】図１に示すクリーナをローラの中心軸に沿った断面で示す図である。
【図３】図１に示すクリーナの使用方法を示す図であり、図３（ａ）はロール紙を床面に接触させてゴミを採取する状態、図３（ｂ）はストッパとガイド面を接触させながらロール紙を回転している状態、図３（ｃ）はストッパと一方の凹部が係合してロール紙が停止した状態を示す図である。
【図４】図３に続くクリーナの使用方法を示す図であり、図４（ａ）はロール紙からシートを剥がしている状態、図４（ｂ）はストッパと他方の凹部が係合してロール紙がカット位置で停止した状態を示す図である。
【図５】カッターでシートがカットされたロール紙を示す平面図である。
【図６】図１に示すクリーナのスタンドを拡大して示す図である。
【図７】異なるクリーナの使用方法を示す図であり、図７（ａ）はストッパをロール紙に接触させながらロール紙を回転している状態、図７（ｂ）はストッパが一方の孔に係合してロール紙が停止した状態、図７（ｃ）はストッパを一方の孔から外した状態を示す図である。
【図８】図７に続くクリーナの使用方法を示す図であり、図８（ａ）はロール紙からシートを剥がしている状態、図８（ｂ）はストッパが他方の孔に係合してロール紙がカット位置で停止した状態を示す図である。
【図９】さらに異なるクリーナの使用方法を示す図であり、図９（ａ）はストッパをロール紙にかるく接触させてロール紙を回転している状態、図９（ｂ）はストッパの先端部が長孔の手前の壁に係合してロール紙が停止した状態を示す図である。
【図１０】図９に続くクリーナの使用方法を示す図であり、図１０（ａ）はロール紙からシートを剥がしている状態、図１０（ｂ）はストッパの基部が長孔の奥の壁に係合してロール紙が停止した状態を示す図である。
【図１１】さらに異なるクリーナの使用方法を示す図であり、図１１（ａ）はストッパが孔に係合してロール紙が停止した状態、図１１（ｂ）はその状態からロール紙を奥に若干回転させた状態を示す図である。
【図１２】図１１に続くクリーナの使用方法を示す図であり、図１２（ａ）はロール紙からシートを剥がしている状態、図１２（ｂ）は、再び、ストッパと孔が係合してロール紙が停止した状態を示す図である。
【図１３】ロール紙の例を示す図である。
【符号の説明】
【００５９】
１、１ａ、１ｂ、１ｃ    クリーナ
２、２ａ、２ｂ、２ｃ、２ｄ    ロール紙
３    ホルダ
４    ホルダ本体
１２    シート
２０    カッター
２２    刃先
３２、６２    ストッパ
４１、４２    凹部
５５、５６、５７、５８    孔
【図１】
2006081833.tif 000003
【図２】
2006081833.tif 000004
【図３】
2006081833.tif 000005
【図４】
2006081833.tif 000006
【図５】
2006081833.tif 000007
【図６】
2006081833.tif 000008
【図７】
2006081833.tif 000009
【図８】
2006081833.tif 000010
【図９】
2006081833.tif 000011
【図１０】
2006081833.tif 000012
【図１１】
2006081833.tif 000013
【図１２】
2006081833.tif 000014
【図１３】
2006081833.tif 000015